(57)【特許請求の範囲】
【請求項１】
第１補整域と、第２補整域と、第３補整域と、第４補整域とを有する一枚の連続した同一素材で伸縮自在の布地を上記各補整域相互の引張力を異にするように編み立ててなるショーツ状の補整下着であって、
上記第１補整域は最大の引張力を有するもので、ヒップアップするに必要な幅をもってクロッチ部分の後部を起点として分岐し、それぞれヒップラインに沿ってヒップの両側を経てウエストラインに到達した形状であり、
上記第２補整域は、上記第１の補整域より弱い引張力を有し、上記クロッチ部の前部に至る形状をもって下腹部を被覆するものであり、
上記第３の補整域は、上記第２の補整域の引張力より弱く、ウエストラインの背面中央部に、このウエストラインを上辺として狭い幅の連結部が上記クロッチの後部に至る形状であり、
上記第４の補整域は、上記第３の補整域の引張力より弱く、上記第１の補整域と上記第３の補整域との間に位置し、ヒップに対応する個所を被覆する形状である
ことを特徴とするヒップアップ用補整下着。
【発明の詳細な説明】
【０００１】
【発明の属する技術分野】
本発明は、例えば水着やスパッツの下に着用するヒップアップ用補整下着に関する。
【０００２】
【従来の技術】
従来からこのヒップアップ用の補整下着は、ショーツ状の布地にヒップアップに必要な個所に弾性質素材からなる布地または引張力の強いゴムを二層または三層の積層状態に取付けたものである。
【０００３】
【発明が解決しようとする課題】
しかし、従来の補整下着にあっては積層構造であるため製造工程が煩雑であり、また、布地に厚薄による段差があるため着用していることが外部から視認できることがあり、さらに着脱が容易ではなかった。
【０００４】
【課題を解決するための手段】
そこで本発明の目的は、同一素材の編み立てを変えることにより一枚の布地の所定個所に引張力に強弱を付け、この強弱の差によりヒップの形状を補整し、ヒップアップされた立体形状に現出させることができるヒップアップ用補整下着を提供することにある。
【０００５】
【発明の実施の形態】
本発明の特徴は、第１補整域と、第２補整域と、第３補整域と、第４補整域とを有する一枚の連続した同一素材で伸縮自在の布地を上記各補整域相互の引張力を異にするように編み立ててなるショーツ状の補整下着であって、上記第１補整域は最大の引張力を有するもので、ヒップアップするに必要な幅をもってクロッチ部分の後部を起点として分岐し、それぞれヒップラインに沿ってヒップの両側を経てウエストラインに到達した形状であり、上記第２補整域は、上記第１の補整域より弱い引張力を有し、上記クロッチ部の前部に至る形状をもって下腹部を被覆するものであり、上記第３の補整域は、上記第２の補整域の引張力より弱く、ウエストラインの背面中央部に、このウエストラインを上辺として狭い幅の連結部が上記クロッチの後部に至る形状であり、上記第４の補整域は、上記第３の補整域の引張力より弱く、上記第１の補整域と上記第３の補整域との間に位置し、ヒップに対応する個所を被覆する形状であるところにある。
【０００６】
【実施例】
実施例について図面を参照して説明すると、ヒップアップ用補整下着の構成は、大別すると図１、図２に示すように、第１補整域１と、第２補整域２と、第３補整域３と、第４補整域４とを有する一枚の連続した布地で構成され、同一素材、例えばナイロン、ポリウレタンの混紡素材の縦横に伸縮可能な布地を編み立ててなるもので、編み立て方法を変えることにより各補整域１〜４の引張力に強弱の差をつけ立体構成にしたものである。勿論、素材としては吸湿性を向上させるため、綿とポリウレタンとの混紡を使用することなどは適宜行なうことができる。
【０００７】
そこで、各補整域１〜４のそれぞれの構成について説明する。
【０００８】
第１補整域１は他の補整域２〜４の引張力に比較して最も強い引張力を有するように編み立てられたもので、図２（ｂ）に示すようにヒップアップする、つまりヒップを持ち上げるに必要な幅、例えば３〜７ｃｍの範囲で下方を広く、次第に狭く変化する幅をもって、クロッチ部（股下の部分）Ｐの後部を起点として左右に分岐し、それぞれの第１補整域１，１はそのままヒップラインに沿って曲線状に上昇し、ヒップの両側を経て前面のウエストラインＷＬに到達している。そのため、第１補整域１はヒップをその両側から抱持して持ち上げる作用を有する。このヒップラインとは、ほぼ太腿とヒップ（尻）との境界ラインに相当するものである。また、この引張力が強いとは、第１補整域１の弾性変形の範囲を狭くして補整力を強くすること、及び／または弾性変形した後の復元力を強くして補整力を強くすることを含む意味に使用しているもので、以下の他の補整域２〜４の説明においても同様である。
【０００９】
また、第２補整域２は、第１補整域１より弱い引張力を有するように編み立ててあるもので、その形状は図１（ａ）、図２（ａ）に示すように前面のウエストラインＷＬを上辺として、クロッチ部Ｐの前部に至る形状を有し、下腹部のほぼ全面を被覆可能なものである。第２補整域２の引張力は、第１補整域１のヒップアップ効果を妨げないように、これより弱く、補整下着の着脱に有効であるようにし、同時に下腹部を補整するに必要な力を有するものでなければならない。
【００１０】
第３補整域３は、第２の補整域２よりさらに弱い引張力で編み立てられており、図１（ｂ）、図２（ｂ）に示すように、背面のウエストラインＷＬの背面中央部に、このウエストラインを上辺とし、このウエストラインから下方に向けて両辺が曲線になってテーパ状に形成してある。この第３補整域の下端は狭い幅の連結部３１となってクロッチ部Ｐの後方にまで延びた形状になっており、そのため、この連結部３１はヒップの割れ目に食い込み、そしてこのクロッチ部分を背面上方に引き上げる作用により、ヒップを持ち上げる作用を有するものである。
【００１１】
第４の補整域４は、第３の補整域３よりさらに弱い引張力、即ち最も弱い引張力であるように編み立てられた領域であり、これは第１の補整域１と第３の補整域３との間を占め、ヒップに対応する個所を被覆する形状で、そのためヒップがこの第４補整域により丸味をもって隆起可能なものである。
【００１２】
そこで、本発明にかかる補整下着を水着の下に着用すると、第１補整域１の引張力によりヒップ部は上方に引き上げられ、さらに、第３補整域からの引張力により連結部３１の部分がヒップの間に食い込むので、ヒップ全体が丸味のある立体的な形状に変化し、ヒップアップ効果を最大に発揮する。この時、第４補整域４は最も弱い引張力であるため、ヒップはこの第４補整域から隆起し立体的な補整効果を最大に発揮する。さらに、第２補整域２の強い引張力により下腹部前面を補整し、よりスリムな体形に補整することができる。また、第２補整域２と第４補整域４とは前後位置関係にあり、かつこの第２補整域はこ第１補整域の引張力より弱く、かつ第４補整域は最も弱い引張力であるため、この補整下着の着脱を容易にする。
【００１３】
【発明の効果】
本発明は、編み立て方法を変えることにより一枚の布地に引張力に強弱の差を付けたものであるため製造工程が簡単かつ容易であり、かつ身体に自然に適合し、ヒップアップ効果を最大に発揮し、さらに着脱も容易である。
【図面の簡単な説明】
【図１】（ａ）は正面図で、（ｂ）は背面図である。
【図２】（ａ）はヒップアップ効果を説明するため前方から見た着用状態を示す斜視図であり、（ｂ）は後方から見た着用状態を示す斜視図である。
【符号の説明】
１          第１補整域
２          第２補整域
３          第３補整域
３１        連結部
４          第４補整域
ＷＬ        ウエストライン
Ｐ          クロッチ部
【図１】
0003737852.tif 000002
【図２】
0003737852.tif 000003